(57)【要約】  ソケットコンタクトやプラグコンタクトに特殊な導電材料や高抵抗の抵抗体を用いることなく、簡単な構成で、確実にアーク放電を抑制する直流配電用接続装置を提供する。  最も高い直流電圧Ｖｋが発生する第２電源プラグコンタクトと第２電源ソケットコンタクトが接触するまでの過程で、第２電源プラグコンタクトに接続する全てのダミープラグコンタクトを、第２電源プラグコンタクトより低電位のソケットコンタントに順に接触させるので、第２電源プラグコンタクトが第２電源ソケットコンタクトに接近する際の電位差は直流電圧Ｖｋ未満となり、その間のアーク放電の発生が抑制される。
2019026238.tif 000002
【特許請求の範囲】
【請求項１】
複数のプラグコンタクトのうち、一対の第１電源プラグコンタクトと第２電源プラグコンタクトが直流負荷に接続する電源プラグと、
プラグ挿入孔に直流電圧が印加される複数のソケットコンタクトを臨ませたソケットと、
前記複数のソケットコンタクトのうち、一対の第１電源ソケットコンタクトと第２電源ソケットコンタクト間に直流電圧Ｖｋを印加する直流電源回路とを有し、
前記一対の電源ソケットコンタクトにそれぞれ前記一対の電源プラグコンタクトが活線接続し、前記一対の電源プラグコンタクトに接続する前記直流負荷に直流電圧Ｖｋの直流電源を給電する直流配電用接続装置であって、
前記ソケットは、前記プラグ挿入孔にｍ本（ｍは、３から始まる自然数）の前記ソケットコンタクトを臨ませ、
前記直流電源回路は、１番目のソケットコンタクトを第１電源ソケットコンタクトと、ｍ番目のソケットコンタクトを第２電源ソケットコンタクトとし、ｎ番目（ｎは、１からｍ−１までの自然数）の前記ソケットコンタクトを低圧側と、ｎ＋１番目の前記ソケットコンタクトを高圧側として、第１電源ソケットコンタクトから第２電源ソケットコンタクトまでｎ番の順に高電位とし、第１電源ソケットコンタクトと第２電源ソケットコンタクト間の直流電圧がＶｋとなるように、ｍ本の前記ソケットコンタクトに直流電圧を印加し、
前記電源プラグは、第１電源ソケットコンタクトに接触する第１電源プラグコンタクトと、第２電源ソケットコンタクトに接触する第２電源プラグコンタクトと、２番目の前記ソケットコンタクトからｍ−１番目の前記ソケットコンタクトにそれぞれ接触し、第２電源プラグコンタクトに接続させたｍ−２本のダミープラグコンタクトとを前記ソケットとの接続方向へ突出させ、
第１電源プラグコンタクトを第１電源ソケットコンタクトに接触させた後、第２電源プラグコンタクトを第２電源ソケットコンタクトに接触させるまで、ｍ−２本の前記ダミープラグコンタクトを、それぞれ２番目の前記ソケットコンタクトからｍ−１番目の前記ソケットコンタクトのｎ番の順に接触させることを特徴とする直流配電用接続装置。
【請求項２】
第２電源プラグコンタクトが第２電源ソケットコンタクトに接触する前記電源プラグと前記ソケットの接続位置で、ｍ−２本のダミープラグコンタクトとｍ−２本の前記ソケットコンタクトとは、互いに絶縁されていることを特徴とする請求項２に記載の直流配電用接続装置。
【請求項３】
前記ｍ−２本のダミープラグコンタクトを、抵抗を介して第２電源プラグコンタクトに接続させたことを特徴とする請求項１又は請求項２のいずれか１項に記載の直流配電用接続装置。
【請求項４】
全てのｍ本の前記ソケットコンタクトを、各ソケットコンタクトにそれぞれ接触するプラグコンタクトとの前記接続方向に沿った距離が、第１電源ソケットコンタクトから第２電源ソケットコンタクトまでｎ番の前記ソケットコンタクトの順に短くなる前記プラグ挿入孔内の位置に臨ませたことを特徴とする請求項１乃至請求項３のいずれか１項に記載の直流配電用接続装置。
【請求項５】
第１電源ソケットコンタクトと第２電源ソケットコンタクト間の直流電圧Ｖｋが１５Ｖ以上であり、
前記直流電源回路は、ｎ番目のソケットコンタクトとｎ＋１番目のソケットコンタクトの間に１５Ｖ未満の直流電圧Ｖｎを印加することを特徴とする請求項１乃至請求項４のいずれか１項に記載の直流配電用接続装置。
【請求項６】
前記直流電源回路が、ｎ番目のソケットコンタクトとｎ＋１番目のソケットコンタクトの間に印加する直流電圧Ｖｎは、１２Ｖであることを特徴とする請求項５に記載の直流配電用接続装置。
【発明の詳細な説明】
【技術分野】
【０００１】
本発明は、活線接続する電源プラグコンタクトと電源ソケットコンタクトが接離する瞬間に発生するアーク放電を防止する直流配電用接続装置に関する。
【背景技術】
【０００２】
高電圧、高電流の直流電力を給電する直流電源に接続するソケットの電源ソケットコンタクトに電源プラグの電源プラグコンタクトを活線接続し、電源プラグに接続する電気機器に直流電源を給電する場合に、電源プラグコンタクトを電源ソケットコンタクトに接離する瞬間の近接する両者の間には高い電気エネルギーが蓄積され、その間にアーク放電が発生する。このようなアーク放電は、誘導性負荷に接続する電源プラグコンタクトを、直流電源に接続するソケットの電源ソケットコンタクトから引き抜く際に生じる誘導起電力によっても発生する。【０００３】
アーク放電は、プラグコンタクトやソケットコンタクトが溶損する等、劣化を早め、また、ノイズの発生源ともなるので、従来から大別して２通りの方法で対策が講じられている。第１の方法は、特開２０１０−５６０５５号公報（特許文献１）に開示されている方法で、プラグコンタクトとソケットコンタクトの接続方向と直交する方向に永久磁石などを配置して磁場をかけ、ローレンツ力によりアークの方向を偏向させてアーク放電によるプラグコンタクトやソケットコンタクトの損傷を防ぐものである。【０００４】
また、第２の方法は、プラグコンタクトやソケットコンタクト間に蓄積される電気エネルギー自体を低下させてアーク放電を発生させないようにする方法である。近接するプラグコンタクトとソケットコンタクト間に蓄えられる電気エネルギーは、プラグコンタクトとソケットコンタクト間の電圧及び電流に比例するので、特開昭６３−８６２８１号公報（特許文献２）や実開平４−２４６７号公報（特許文献３）では、プラグコンタクトとソケットコンタクトが分離する際の両者の間の電圧を低下させてアーク放電の発生を防止している。【０００５】
すなわち、特許文献２に記載の接続装置１００は、図９に示すように、プラグコンタクト１０１と、プラグコンタクト１０１より電気抵抗率ρが高い抵抗体１０２を、相手側のソケットコンタクト１０３が移動する移動経路に沿って連設し、ソケットコンタクト１０３が移動経路から引き出されて分離する際に、最も抵抗値が高くなる抵抗体１０２の先端１０２ａでソケットコンタクト１０３を分離させ、両者間の電圧をアーク放電に至らない電圧としてアーク放電の発生を防止している。【０００６】
また、特許文献３に記載の接続装置１１０は、図１０に示すように、ソケットコンタクト１１２の抵抗値を、プラグコンタクト１１４が移動する移動経路に沿って離反方向（図中右方）に移動するほど増加させたもので、相手側のプラグコンタクト１１４を完全に挿入した同図（ａ）に示す状態から、同図（ｂ）に示すように、プラグコンタクト１１４を移動経路から抜き出す際に、プラグコンタクト１１４が近接するソケットコンタクト１１２の先端１１２ａの部分を最も高抵抗として、ソケットコンタクト１１２に大きな電位降下を生じさせ、その先端１１２ａとプラグコンタクト１１４間の電圧をアーク放電に至らない電圧としている。
【先行技術文献】
【特許文献】
【０００７】
【特許文献１】特開２０１０−５６０５５号公報
【特許文献２】特開昭６３−８６２８１号公報
【特許文献３】実開平４−２４６７号公報
【発明の概要】
【発明が解決しようとする課題】
【０００８】
特許文献１に示される第１の方法は、プラグコンタクトとソケットコンタクトの対向方向と直交する方向に永久磁石などを配置して磁場を発生させているが、アーク放電自体の発生を防止するものではないので、アーク放電による電磁ノイズが負荷などの電子回路に悪影響を及ぼし、本質的な解決手段とはなっていない。【０００９】
また、第２の方法の接続装置１００は、プラグコンタクト１０３を引き出す際に、電気抵抗率ρが高い抵抗体１０２の抵抗値によって先端１０２ａの電圧を降下させているが、ソケットコンタクト１０１に抵抗値の高いの抵抗体１０２を一体に取り付ける必要があり、また、プラグコンタクト１０３とソケットコンタクト１０１の間に加わる電圧や、流れる電流によっては、抵抗体１０２の先端１０２ａの電位を十分に降下させることができず、アーク放電の発生を確実に防止することはできない。【００１０】
また、特許文献３に記載の接続装置１１０は、ソケットコンタクト１１２の抵抗値をプラグコンタクト１１４の移動経路に沿って離反方向（図１０中右方）に移動するほど増加させるものであるが、ソケットコンタクト１１２に用いる導電材料の電気抵抗率ρは、導電材料毎に固有の値であるので、離反方向に移動するほど単位長さあたりの抵抗値を増加させるには、電気抵抗率ρが次第に大きくなる導電材料を多種類用意して離反方向に連続させる必要があり、製造が困難であり実用的ではない。【００１１】
本発明は、このような従来の問題点を考慮してなされたものであり、ソケットコンタクトやプラグコンタクトに特殊な導電材料や高抵抗の抵抗体を用いることなく、簡単な構成で、確実にアーク放電を抑制する直流配電用接続装置を提供することを目的とする。
【課題を解決するための手段】
【００１２】
上述の目的を達成するため、請求項１に記載の直流配電用接続装置は、複数のプラグコンタクトのうち、一対の第１電源プラグコンタクトと第２電源プラグコンタクトが直流負荷に接続する電源プラグと、プラグ挿入孔に直流電圧が印加される複数のソケットコンタクトを臨ませたソケットと、複数のソケットコンタクトのうち、一対の第１電源ソケットコンタクトと第２電源ソケットコンタクト間に直流電圧Ｖｋを印加する直流電源回路とを有し、一対の電源ソケットコンタクトにそれぞれ一対の電源プラグコンタクトが活線接続し、一対の電源プラグコンタクトに接続する直流負荷に直流電圧Ｖｋの直流電源を給電する直流配電用接続装置であって、
ソケットは、プラグ挿入孔にｍ本（ｍは、３から始まる自然数）のソケットコンタクトを臨ませ、直流電源回路は、１番目のソケットコンタクトを第１電源ソケットコンタクトと、ｍ番目のソケットコンタクトを第２電源ソケットコンタクトとし、ｎ番目（ｎは、１からｍ−１までの自然数）のソケットコンタクトを低圧側と、ｎ＋１番目のソケットコンタクトを高圧側として、第１電源ソケットコンタクトから第２電源ソケットコンタクトまでｎ番の順に高電位とし、第１電源ソケットコンタクトと第２電源ソケットコンタクト間の直流電圧がＶｋとなるように、ｍ本のソケットコンタクトに直流電圧を印加し、電源プラグは、第１電源ソケットコンタクトに接触する第１電源プラグコンタクトと、第２電源ソケットコンタクトに接触する第２電源プラグコンタクトと、２番目のソケットコンタクトからｍ−１番目のソケットコンタクトにそれぞれ接触し、第２電源プラグコンタクトに接続させたｍ−２本のダミープラグコンタクトとをソケットとの接続方向へ突出させ、第１電源プラグコンタクトを第１電源ソケットコンタクトに接触させた後、第２電源プラグコンタクトを第２電源ソケットコンタクトに接触させるまで、ｍ−２本のダミープラグコンタクトを、それぞれ２番目のソケットコンタクトからｍ−１番目のソケットコンタクトのｎ番の順に接触させることを特徴とする。【００１３】
電源プラグのｍ本のプラグコンタクトを、それぞれｎ番目のソケットコンタクトに順に接触させると、ｎ番目のソケットコンタントにプラグコンタクトが接触した際のダミープラグコンタクトとダミープラグコンタクトに接続する第２電源プラグコンタクトの電位は、ｎ番目のソケットコンタントの電位となり、次にダミープラグコンタクト若しくは第２電源プラグコンタクトが接近するｎ＋１番目のソケットコンタクトとの電位差は、直流電圧Ｖｋをｍ−２段階で区切ったｎ番目とｎ＋１番目のソケットコンタクト間の電圧となる。従って、第２電源プラグコンタクトが第２電源ソケットコンタクトに接触するまでの過程で、全てのダミープラグコンタクトと第２電源プラグコンタクトが接近するソケットコンタクトとの電位差は、直流電圧Ｖｋ未満であり、その間のアーク放電の発生が抑制される。【００１４】
請求項２に記載の直流配電用接続装置は、第２電源プラグコンタクトが第２電源ソケットコンタクトに接触する電源プラグとソケットの接続位置で、ｍ−２本のダミープラグコンタクトとｍ−２本のソケットコンタクトとは、互いに絶縁されていることを特徴とする。【００１５】
電源プラグをソケットへ接続する過程でダミープラグコンタクトが接触したソケットコンタクトと、第２電源ソケットコンタクトとの間に電位差があっても、第２電源プラグコンタクトが第２電源ソケットコンタクトに接触する電源プラグとソケットの接続位置で、ダミープラグコンタクトはソケットコンタクトと絶縁され、ダミープラグコンタクトを介してソケットコンタクト間の電位差による電流は流れない。【００１６】
請求項３に記載の直流配電用接続装置は、ｍ−２本のダミープラグコンタクトを、抵抗を介して第２電源プラグコンタクトに接続させたことを特徴とする。【００１７】
抵抗の抵抗値を調整することにより、ｍ−２本のダミープラグコンタクトと第２電源プラグコンタクトの電位上昇速度を調整できる。【００１８】
請求項４に記載の直流配電用接続装置は、全てのｍ本のソケットコンタクトを、各ソケットコンタクトにそれぞれ接触するプラグコンタクトとの接続方向に沿った距離が、第１電源ソケットコンタクトから第２電源ソケットコンタクトまでｎ番のソケットコンタクトの順に短くなるプラグ挿入孔内の位置に臨ませたことを特徴とする。【００１９】
電源プラグをソケットとの接続方向へ移動させると、その接続方向に沿ってプラグコンタクトトの距離が短いｎ番の順に、全てのｍ本のソケットコンタクトがプラグコンタクトに接触する。【００２０】
請求項５に記載の直流配電用接続装置は、第１電源ソケットコンタクトと第２電源ソケットコンタクト間の直流電圧Ｖｋが１５Ｖ以上であり、直流電源回路は、ｎ番目のソケットコンタクトとｎ＋１番目のソケットコンタクトの間に１５Ｖ未満の直流電圧Ｖｎを印加することを特徴とする。【００２１】
第１電源ソケットコンタクトと第２電源ソケットコンタクト間の直流電圧Ｖｋが１５Ｖ以上であっても、第２電源プラグコンタクトが第２電源ソケットコンタクトに接触するまでの過程で、全てのダミープラグコンタクトと第２電源プラグコンタクトが接近するソケットコンタクトとの電位差は、１５Ｖ未満であり、その間のアーク放電の発生が確実に抑制される。【００２２】
請求項６に記載の直流配電用接続装置は、直流電源回路が、ｎ番目のソケットコンタクトとｎ＋１番目のソケットコンタクトの間に印加する直流電圧Ｖｎは、１２Ｖであることを特徴とする。【００２３】
第１電源ソケットコンタクトと第２電源ソケットコンタクト間の直流電圧Ｖｋが１５Ｖ以上であっても、第２電源プラグコンタクトが第２電源ソケットコンタクトに接触するまでの過程で、全てのダミープラグコンタクトと第２電源プラグコンタクトが接近するソケットコンタクトとの電位差は、１２Ｖであり、その間のアーク放電の発生が確実に抑制される。
【発明の効果】
【００２４】
請求項１の発明によれば、ソケットコンタクトやプラグコンタクトに特殊な導電材料や高抵抗の抵抗体を用いることなく、活線接続する電源ソケットコンタクトと電源プラグコンタクト間の直流電圧Ｖｋより、接近する電源ソケットコンタクトと電源プラグコンタクト間の電圧を低い電圧として、アーク放電の発生を抑止できる。【００２５】
請求項２の発明によれば、一対の電源プラグコンタクトが一対の電源ソケットコンタクトに接続する状態で、ダミープラグコンタクトを漏れ電流が流れない。【００２６】
請求項３の発明によれば、抵抗の抵抗値を調整することにより、ソケットコンタクトに近づくダミープラグの電位の上昇速度を調整し、ソケットコンタクトに近接する際にアーク放電が発生しない電位とすることができる。【００２７】
請求項４の発明によれば、一対の電源プラグコンタクトとダミープラグコンタクトの接続方向の突出長に応じて、ソケットコンタクトのそのプラグコンタクトとの接触位置を調整するだけで、ｍ本の全てのプラグコンタクトを、それぞれｎ番のソケットコンタクトの順に接触させることができる。【００２８】
請求項５の発明によれば、第２電源プラグコンタクトと第２電源ソケットコンタクト間が１５Ｖ以上の直流電圧で活線接続する場合にも、第２電源プラグコンタクトと第２電源ソケットコンタクト間が近接する際の電圧は、１５Ｖ未満であり、アーク放電が発生しない。【００２９】
請求項６の発明によれば、第２電源プラグコンタクトと第２電源ソケットコンタクト間が１５Ｖ以上の直流電圧で活線接続する場合にも、接触するプラグコンタクトとソケットコンタクト間の電圧は１２Ｖであり、アーク放電が発生しない。【００３０】
また、ｎ番目のソケットコンタクトとｎ＋１番目のソケットコンタクトにそれぞれ第１電源プラグコンタクトと第２電源プラグコンタクトを接触させることにより、１２Ｖの直流電圧で動作する直流負荷へ直流電源を給電できる。
【図面の簡単な説明】
【００３１】
【図１】本発明の第１実施の形態に係る直流配電用接続装置１の全体を示すブロック図である。
【図２】一対の電源ソケットコンタクト１１２、１１６間に４８Ｖの直流電圧が印加されるソケット１０に、４８Ｖの直流電圧で動作する直流動作機器２に接続する電源プラグ２０を接続する状態を示す直流配電用接続装置１の縦断面図である。
【図３】電源プラグ２０の低圧側プラグピン２１を、ソケット１０の２番目のソケットコンタクト１１２に接触させた状態を示す縦断面図である。
【図４】電源プラグ２０の第１ダミープラグピン２３１を、ソケット１０の３番目のソケットコンタクト１１３に接触させた状態を示す縦断面図である。
【図５】電源プラグ２０の高圧側プラグピン２２をソケット１０の６番目のソケットコンタクト１１６へ接触させ、電源プラグ２０をソケット１０に完全に差し込み接続した状態を示す縦断面図である。
【図６】一対の直流電源ソケット１１１、１１９間に９６Ｖの直流電圧が印加されるソケット１０に、９６Ｖの直流電圧で動作する直流動作機器２に接続する電源プラグ２５を接続した状態を示す第２実施の形態に係る直流配電用接続装置５の縦断面図である。
【図７】一対の直流電源ソケット１１１、１１４間に２４Ｖの直流電圧が印加されるソケット３０に、２４Ｖの直流電圧で動作する直流動作機器２に接続する電源プラグ２６を接続した状態を示す第３実施の形態に係る直流配電用接続装置６の縦断面図である。
【図８】一対の直流電源ソケット１１１、１１２間に５Ｖの直流電圧が印加されるソケット３０に、５Ｖの直流電圧で動作する直流動作機器２に接続する電源プラグ２７を接続した状態を示す縦断面図である。
【図９】従来の直流配電用接続装置１００の側面図である。
【図１０】従来の直流配電用接続装置１１０の、（ａ）は、相手側のプラグコンタクト１１４を完全に挿入した状態を、（ｂ）は、相手側のプラグコンタクト１１４を移動経路から抜き出した状態を示す縦断面図である。
【発明を実施するための形態】
【００３２】
以下、本発明の一実施の形態に係る直流配電用接続装置１を、図１乃至図５を用いて説明する。図１に示す様に、直流配電用接続装置１は、商用交流電源に接続するＡＣ／ＤＣコンバータ５１、太陽電池５２、ＥＶ（電気自動車）のバッテリー５３により蓄電される電力を３７５Ｖの直流電圧で出力するＤＣバッテリーである直流電源５５と直流電源５５に接続する複数のＤＣ／ＤＣコンバータ３、３・・からなる直流電源回路５０と、直流電源回路５０に接続し、宅内の壁面に電源プラグ２０との接続面を露出させた直流電源コンセントとなる複数のソケット１０と、異なる直流電圧の直流電源で動作する直流動作機器２にそれぞれ接続する電源プラグ２０を備え、直流動作機器２が異なる直流電圧で動作するものであっても、共通するいずれかソケット１０に電源プラグ２０を差し込み接続し、電源プラグ２０を介して直流動作機器２が動作する直流電圧の直流電源を給電する接続装置である。
【００３３】
直流電源回路５０のＤＣ／ＤＣコンバータ３、３・・に接続する全てのソケット１０は、それぞれ同一の構成で形成され、直流動作機器２が配置される宅内の各部屋の壁面に電源プラグ２０を差し込み接続する接続面１５ａを臨ませて取付けられる。
【００３４】
図２に示す様に、ソケット１０は、絶縁性のソケットハウジング１５に互いに絶縁して取付けられるｍ（ｍは、３から始まる自然数）本のソケットコンタクト１１を備えている。ソケット１０に取付けられるソケットコンタクト１１の本数ｍは、ソケット１０に差し込み接続することが可能な電源プラグ２０、２５によって直流動作機器２へ給電する直流電源の直流電圧をｍ−１段階に分割した各段階の電圧がアーク放電が発生しにくい１５Ｖ未満となる本数とし、具体的には、電源プラグ２５によって直流動作機器２へ給電する直流電源の直流電圧が９６Ｖ（図６参照）であるので、ｍ＝８以上の９本としている。
【００３５】
直流電源回路５０のＤＣ／ＤＣコンバータ３は、ソケットコンタクト１１のｎ番目（ｎは、１からｍ−１までの自然数）のソケットコンタクトとｎ＋１番目のソケットコンタクトの間に、ｎ番目のソケットコンタクトを低圧側と、ｎ＋１番目のソケットコンタクトを高圧側として直流電源５５の出力電圧を直流電圧Ｖｎに変換して印加するものであり、ｍ本（９本）の全てのソケットコンタクト１１について、ｎ番目とｎ＋１番目のソケットコンタクト１１の間に直流電圧Ｖｎを印加するように、直流電源５５にはｍ−１種類である８種類のＤＣ／ＤＣコンバータ３、３・・が各ソケットコンタクト１１との間に接続されている。これにより、最も低電位の１番目のソケットコンタクト１１１と最も高電位の９番目のソケットコンタクト１１９の間に８種類の直流電圧Ｖｎが直列に接続されることとなる。
【００３６】
各ＤＣ／ＤＣコンバータ３、３・・からｎ番目とｎ＋１番目のソケットコンタクト１１間に印加される直流電圧Ｖｎは、それぞれソケットコンタクト１１により異なる直流電圧であってもよいが、ここでは同一の１２Ｖの直流電圧としている。従って、１番目のソケットコンタクト１１１の電位を接地電位（０Ｖ）として、ｎ番の順に１２Ｖ毎にソケットコンタクト１１ｎの電位が上昇し、９番目のソケットコンタクト１１９の電位は、９６Ｖとなっている。
【００３７】
一対の隣り合うｎ番目とｎ＋１番目のソケットコンタクト１１ｎ、１１ｎ＋１間に印加される直流電圧Ｖｎを全て１２Ｖとすることによって、電源プラグ２０、２５の一対の電源プラグピン２１、２２を所望のソケットコンタクト１１、１１へ接触させ、同一構成のソケット１０から異なる１２Ｖ単位の直流電圧の直流電源を給電することができ、ＩＴＵ−Ｔ（International Telecommunication Union-Telecommunication）に準拠して１２Ｖの単位で動作する既存の種々の直流動作機器２に対して、ソケット１０からその動作電圧の直流電源を給電可能となる。
【００３８】
全てのソケットコンタクト１１は、ソケットハウジング１５の接続面１５ａから凹設されたｍ個のプラグ挿入孔１４内にそれぞれ接触部を臨ませるようにソケットハウジング１５に固定され、プラグ挿入孔１４に挿入される電源プラグ２０のプラグピン２１、２２、２３と接触するようになっている。ｍ個のプラグ挿入孔１４の内、任意のｎ番目のソケットコンタクト１１ｎとｎ＋ｋ番目（ｋは、１からｍ−ｎまでの自然数）のソケットコンタクト１１ｎ＋ｋが臨む一対のプラグ挿入孔１４、１４間の間隔Ｄｋは、その一対のｎ番目のソケットコンタクト１１ｎとｎ＋ｋ番目のソケットコンタクト１１ｎ＋ｋ間の直流電圧
【００３９】
【数１】
2019026238.tif 000003
【００４０】
と一義的に対応する間隔となっている。
【００４１】
すなわち、一対のプラグ挿入孔１４、１４の間隔と電源プラグ２０の一対のプラグピン２１、２２間の間隔が同一間隔Ｄｋである場合にのみ、一対のプラグピン２１、２２をその一対のプラグ挿入孔１４、１４に挿入してプラグ挿入孔１４、１４に臨む一対のｎ番目のソケットコンタクト１１ｎとｎ＋ｋ番目のソケットコンタクト１１ｎ＋ｋに接触させることが可能となり、一対のプラグピン２１、２２間には、その間隔Ｄｋと一義的に対応する
【００４２】
【数１】
2019026238.tif 000004
【００４３】
の直流電圧の直流電源が給電される。
【００４４】
ｍ個のプラグ挿入孔１４は、ソケットハウジング１５の接続面１５ａの同一直線上に開口し、一対のプラグ挿入孔１４、１４間の直線に沿った間隔Ｄｋは、そのプラグ挿入孔１４、１４に臨む一対のｎ番目のソケットコンタクト１１ｎとｎ＋ｋ番目のソケットコンタクト１１ｎ＋ｋ間の直流電圧
【００４５】
【数１】
2019026238.tif 000005
【００４６】
に比例する間隔となっている。ここでは、ｎ番目とｎ＋１番目のソケットコンタクト１１間に印加される直流電圧Ｖｎが、同一の１２Ｖの直流電圧であるので、９個のプラグ挿入孔１４は、ソケットハウジング１５の接続面１５ａに沿った直線上に等間隔で形成される。
【００４７】
ソケット１０に差し込み接続し、直流電圧で動作する直流動作機器２に直流電源を給電する電源プラグ２０、２５は、複数のプラグコンタクト２１、２２、２３がソケット１０側に突出するように絶縁性のプラグハウジング２４に取り付けられ、本明細書では、それぞれ各プラグコンタクト２１、２２、２３が弾性を有しないピンで形成されているので、プラグコンタクト２１、２２、２３をプラグピン２１、２２、２３という。
【００４８】
この第１実施の形態に係る直流配電用接続装置１において、電源プラグ２０は、４８Ｖの直流電圧で動作する直流動作機器２に接続するので、第１電源プラグピンとなる低圧側プラグピン２１と第２電源プラグピンとなる高圧側プラグピン２２の間隔Ｄｋは、ｎ番目とｎ＋４番目のソケットコンタクト１１がそれぞれ臨むプラグ挿入孔１４、１４間の間隔Ｄ４に等しく、それぞれ絶縁性のプラグハウジング２４からソケット１０との接続方向に突出するように取付けられている。高圧側プラグピン２２と低圧側プラグピン２１の各基端は、プラグハウジング２４内で電源ケーブル４の端末に接続し、高圧側プラグピン２２は、電源ケーブル４の高圧側電線４ａを介して直流電源で動作する電気機器の高圧側電源端子に、低圧側プラグピン２１は低圧側電線４ｂを介して低圧側電源端子に接続している。
【００４９】
このように間隔ＤｋをＤ４に設定した電源プラグ２０の高圧側プラグピン２２と低圧側プラグピン２１は、９個のプラグ挿入孔１４のうち、３個のプラグ挿入孔１４を挟む両側の間隔Ｄ４のいずれの一対のプラグ挿入孔１４、１４へも挿入可能であるが、本実施の形態では、図２乃至図５に示す様に、一対の電源プラグピン２１、２２を、第１電源ソケットコンタクトとなる２番目のソケットコンタクト１１２と第２電源ソケットコンタクトとなる６番目のソケットコンタクト１１６がそれぞれ臨むプラグ挿入孔１４、１４へ挿入し、直流電源回路５０から４８Ｖの直流電圧が印加される一対の電源ソケットコンタクト１１２、１１６に活線接続するようにしている。
【００５０】
ここで、電源プラグ２０をソケット１０へ接続する前の高圧側プラグピン２２の電位は、接地された直流動作機器２の接地電位であり、先に低圧側プラグピン２１をソケットコンタクト１１２へ接触させたとしても、ソケットコンタクト１１２の電位である１２Ｖであり、高圧側プラグピン２２が接触するソケットコンタクト１１６とは、少なくとも４８Ｖの電位差が生じている。一般に近接する高圧側プラグピン２２とソケットコンタクト１１間の電位差をＶ、近接する両者の絶縁間隔を隔てて両者に流れる電流をＩとして、両者の間に蓄積される電気エネルギーＥ（Ｅ＝∫Ｖ・Ｉｄｔ）が一定の境界値を超えると、その間にアーク放電が発生し、その境界値は、例えば電位差Ｖが１５Ｖ、電流Ｉが２Ａを超える場合にアーク放電の発生すると考えられている。そこで、本実施の形態では、高圧側プラグピン２２がソケットコンタクト１１６に接近する際のアーク放電の発生を防止するために、高圧側プラグピン２２と低圧側プラグピン２１の間に、一対の電源ソケットコンタクト１１２、１１６間のソケットコンタクト１１３、１１４、１１５にそれぞれ接触する３本のダミーフラグピン２３をプラグハウジング２４に取付けている。
【００５１】
低圧側プラグピン２１から高圧側プラグピン２２に向かって３本の第１ダミープラグピン２３１、第２ダミープラグピン２３２、第３ダミープラグピン２３３は、それぞれソケットコンタクト１１３、１１４、１１５が臨むプラグ挿入孔１４に挿入する位置で突出し、いずれもその基端は、プラグハウジング２４内で抵抗Ｒを介して高圧側プラグピン２２に接続している。
【００５２】
また、５本のプラグピン２１、２２、２３がプラグハウジング２４からソケット１０側に突出する突出長は、低圧側プラグピン２１が最も長く、以下、第１ダミープラグピン２３１、第２ダミープラグピン２３２、第３ダミープラグピン２３３、高圧側プラグピン２２の順に短くなっている。一方、これらのプラグピン２１、２２、２３が接触する相手側のソケットコンタクト１１２〜１１６は、各プラグ挿入孔１４内で電源プラグ２０との接続方向に向かって同一位置に臨むように構成されているので、低圧側プラグピン２１、第１ダミープラグピン２３１、第２ダミープラグピン２３２、第３ダミープラグピン２３３、高圧側プラグピン２２の順に対応する相手側のｎ番の順のソケットコンタクト１１２〜１１６に接触する。
【００５３】
また、各ダミープラグピン２３は、次のダミープラグピン２３若しくは高圧側プラグピン２２がソケットコンタクト１１４〜１１６に接触するまで対応する相手側のソケットコンタクト１１３〜１１５に接触するが、その基端側の外周が絶縁被覆７で覆われ、電源プラグ２０がソケット１０に完全に接続する図５に示す接続位置で、対応する相手側のソケットコンタクト１１３〜１１５と絶縁するようになっている。
【００５４】
このように構成された電源プラグ２０の低圧側プラグピン２１と高圧側プラグピン２２とを、２番目のソケットコンタクト１１２と６番目のソケットコンタクト１１６が臨むプラグ挿入孔１４、１４へ挿入し、プラグ挿入孔１４、１４内で接触する一対の電源ソケットコンタクト１１２、１１６から４８Ｖの直流電圧で動作する直流動作機器２へ４８Ｖの直流電圧の直流電源を給電する接続過程を図３乃至図５で説明する。
【００５５】
図３に示す様に、電源プラグ２０をソケット１０へ差し込み接続する過程では、始めにソケット１０側に最も突出する低圧側プラグピン２１がプラグ挿入孔１４内に臨むソケットコンタクト１１２に接触し、低圧側プラグピン２１の電位は、ソケットコンタクト１１２の電位の１２Ｖとなる。この状態で１２Ｖの電位の低圧側プラグピン２１に接続する直流動作機器２や電源プラグ２０の他のプラグピン２２、２３は、他の電位に接続していないので、他のプラグピン２２、２３の電位も１２Ｖとなっている。
【００５６】
更に電源プラグ２０をソケット１０への差し込み方向へ移動させると、低圧側プラグピン２１の次の長さで突出する第１ダミープラグピン２３１がソケットコンタクト１１３に接近する。ソケットコンタクト１１３の電位は２４Ｖで、第１ダミープラグピン２３１の電位は１２Ｖとなっているので、その間の電圧は、アーク放電が発生する境界値の１５Ｖ以下の１２Ｖであり、近接する第１ダミープラグピン２３１とソケットコンタクト１１３との間にアーク放電は発生しない。
【００５７】
第１ダミープラグピン２３１が３番目のソケットコンタクト１１３に接触する図４に示す状態では、２４Ｖの電位のソケットコンタクト１１３から、第１ダミープラグピン２３１、抵抗Ｒ、高圧側電力線４ａ、直流動作機器２、低圧側電力線４ｂ及び低圧側プラグピン２１を経由して１２Ｖの電位の２番目のソケットコンタクト１１２に直流電流が流れ、この間、抵抗Ｒと直流動作機器２内の浮遊容量等のリアクタンスによる過渡現象で、次に４番目のソケットコンタクト１１４に接近する第２ダミープラグピン２３２の電位は、１２Ｖから第１ダミープラグピン２３１が接触するソケットコンタクト１１３の２４Ｖの電位に向かって上昇する。
【００５８】
４番目のソケットコンタクト１１４の電位は、３６Ｖであるので、第２ダミープラグピン２３２がソケットコンタクト１１４に近接するまでに第２ダミープラグピン２３２の電位が１２Ｖから十分な電位まで上昇していない場合や、逆に急激に２４Ｖまで上昇した場合には、ソケットコンタクト１１４との間でアーク放電が発生する恐れがあり、第２ダミープラグピン２３２の電位上昇速度を調整してアーク放電の発生を防止する。
【００５９】
第２ダミープラグピン２３２の電位上昇速度は、抵抗Ｒと直流動作機器２内のリアクタンスで決定される時定数に依存し、直流動作機器２のリアクタンスは直流動作機器２毎の固有値であるので、直流動作機器２毎にその直流動作機器２に接続する電源プラグ２０側の抵抗Ｒの抵抗値を調整する。具体的には、第１ダミープラグピン２３１が３番目のソケットコンタクト１１３に接触した後、標準的な速度で電源プラグ２０をソケット１０へ差し込み、次の第２ダミープラグピン２３２が４番目のソケットコンタクト１１４に近接する時に、第２ダミープラグピン２３２の電位がほぼ２４Ｖに達するように抵抗Ｒの抵抗値を調整する。その結果、４番目のソケットコンタクト１１４と第２ダミープラグピン２３２との電位差はほぼ１２Ｖとなり、両者が近接してもアーク放電は発生しない。
【００６０】
同様に、図５に示す電源プラグ２０の高圧側プラグピン２２が６番目のソケットコンタクト１１６に接触させるまでの過程で、第３ダミープラグピン２３３と５番目のソケットコンタクト１１５、高圧側プラグピン２２と６番目のソケットコンタクト１１６も近接するが、いずれも近接する両者の電位差は１２Ｖとなるので、アーク放電は発生しない。
【００６１】
尚、電源プラグ２０をソケット１０から引き抜く際にも、高圧側プラグピン２２から第３ダミープラグピン２３３、第２ダミープラグピン２３２、第１ダミープラグピン２３１、低圧側プラグピン２１の順に最大１２Ｖの電位差で接触していた対応するソケットコンタクト１１から分離されるので、引き抜く際にもアーク放電は発生しない。
【００６２】
図５に示す様に、高圧側プラグピン２２を５番目のソケットコンタクト１１５に接触させた電源プラグ２０をソケット１０へ完全に差し込み接続した状態では、直流動作機器２の内部抵抗を６Ωとして、６０Ｖの電位のソケットコンタクト１１６から、高圧側電力線４ａ、直流動作機器２、低圧側電力線４ｂ及び低圧側プラグピン２１を経由して１２Ｖの電位の２番目のソケットコンタクト１１２へ８Ａの直流電流が流れ、直流動作機器２に４８Ｖの直流電圧の直流電源が給電される。
【００６３】
この電源プラグ２０をソケット１０へ完全に差し込み接続した位置では、接続の過程で接触していた各ダミープラグピン２３と対応する相手側のソケットコンタクト１１３〜１１５との間に絶縁被覆７が介在し、高圧側プラグピン２２が接触するソケットコンタクト１１６から抵抗Ｒ、ダミープラグピン２３を介してソケットコンタクト１１６より低い電位のソケットコンタクト１１３〜１１５に漏れ電流が流れない。
【００６４】
図６は、上述と同一構成のソケット１０に、９６Ｖの直流電圧で動作する直流動作機器２に直流電源を給電する電源プラグ２５を差し込み接続する第２の実施の形態に係る直流配電用接続装置５を示している。この直流配電用接続装置５では、一対の１番目と９番目のソケットコンタクト１１１、１１９が第１電源ソケットコンタクトと第２電源ソケットコンタクトとなり、直流電源回路５０から一対のソケットコンタクト１１１、１１９間に９６Ｖの直流電圧が印加される。
【００６５】
従って、第１電源プラグピンとなる低圧側プラグピン２１と第２電源プラグピンとなる高圧側プラグピン２２とは、１番目と９番目のソケットコンタクト１１１、１１９がそれぞれ臨むプラグ挿入孔１４、１４間の間隔Ｄ８に等しい間隔で、それぞれ絶縁性のプラグハウジング２４からソケット１０との接続方向に突出しするように取付けられ、一対のソケットコンタクト１１１、１１９に接触すると、直流動作機器２の内部抵抗を６Ωとして、９６Ｖの電位のソケットコンタクト１１９から、高圧側プラグピン２２、高圧側電力線４ａ、直流動作機器２、低圧側電力線４ｂ及び低圧側プラグピン２１を経由して０Ｖの電位の１番目のソケットコンタクト１１１へ１６Ａの直流電流が流れ、直流動作機器２に９６Ｖの直流電圧の直流電源が給電される。
【００６６】
この電源プラグ２５においても、９６Ｖの電位のソケットコンタクト１１９に接地電位の高圧側プラグピン２２が接近してその間にアーク放電が発生しないように、高圧側プラグピン２２と低圧側プラグピン２１の間に、ソケットコンタクト１１１、１１９間のソケットコンタクト１１２〜１１８にそれぞれ接触する７本のダミーフラグピン２３がプラグハウジング２４に取り付けられている。７本のダミーフラグピン２３の基端側も同様に絶縁被覆７で覆われ、図６に示す接続位置では、対応する相手側のソケットコンタクト１１２〜１１８と絶縁している。
【００６７】
また、電源プラグ２０と同様に、９本のプラグピン２１、２２、２３がプラグハウジング２４からソケット１０側に突出する突出長は、低圧側プラグピン２１が最も長く、以下、ダミープラグピン２３１〜２３７、高圧側プラグピン２２の順に短く、突出長が長い順に１番目のソケットコンタクト１１１から９番目のソケットコンタクト１１９まで１２Ｖの電圧毎に段階的に接触するようになっている。
【００６８】
従って、９６Ｖの直流電圧の直流電源を給電するこの直流配電用接続装置５においても、電源プラグ２５とソケット１０を接続し、若しくは接続を解除する過程で、全てのプラグピン２１、２２、２３とそのプラグピン２１、２２、２３に近接するソケットコンタクト１１との間に１２Ｖを越える電圧は生じることがなく、アーク放電の発生が抑制される。
【００６９】
上述のソケット１０の隣り合うｎ番目とｎ＋１番目のソケットコンタクト１１ｎ、１１ｎ＋１間に印加される直流電圧Ｖｎは、全て同一の１２Ｖで、各ソケットコンタクト１１ｎ、１１ｎ＋１が臨むプラグ挿入孔１４、１４間の間隔Ｄも同一であるが、直流電源回路５０から隣り合うソケットコンタクト１１ｎ、１１ｎ＋１によって異なる直流電圧Ｖｎを印加してもよく、また、隣り合うソケットコンタクト１１ｎ、１１ｎ＋１が臨むプラグ挿入孔１４、１４間の間隔Ｄもソケットコンタクト１１ｎによって異なる間隔Ｄであってもよい。
【００７０】
以下、ソケットコンタクト１１ｎによって、隣り合うソケットコンタクト１１ｎ＋１間に印加される直流電圧Ｖｎが異なり、隣り合うソケットコンタクト１１ｎ＋１が臨むプラグ挿入孔１４、１４間の間隔Ｄも異なるソケット３０とこのソケット３０に接続する電源プラグ２６を備えた第３実施の形態に係る直流配電用接続装置６を、図７を用いて説明する。尚、この直流配電用接続装置６の説明において、直流配電用接続装置１、５と同一若しくは同様に作用する構成については、同一の番号を用いてその説明を省略する。
【００７１】
図７に示すように、ソケット３０のソケットハウジング１５には、４本（ｍ＝４）のソケットコンタクト１１１〜１１４が互いに絶縁して取り付けられ、このうち、１番目と２番目のソケットコンタクト１１１、１１２間に５Ｖの直流電圧（Ｖ１）が、２番目と３番目のソケットコンタクト１１２、１１３間に７Ｖの直流電圧（Ｖ２）が、３番目と４番目のソケットコンタクト１１３、１１４間に１２Ｖの直流電圧（Ｖ３）が、それぞれ直流電源回路５０から印加されている。
【００７２】
隣り合う１番目と２番目のソケットコンタクト１１１、１１２間に印加される直流電圧Ｖ１を５Ｖしたのは、図８に示す様に、１番目と２番目の一対のソケットコンタクト１１１、１１２を一対の電源プラグピン２１，２２が接触する一対の電源ソケットとして、ＵＳＢ接続で５Ｖの直流電圧で動作する直流動作機器２にソケット３０から給電するためであり、このように、隣り合うｎ番目とｎ＋１番目のソケットコンタクト１１ｎ、１１ｎ＋１間に印加される直流電圧Ｖｎを、３種類の５Ｖ（Ｖ１）、７Ｖ（Ｖ２）、１２Ｖ（Ｖ３）とすることによって、同一構成の４本のソケットコンタクト１１が取り付けられたソケット３０から、５Ｖ、７Ｖ、１２Ｖ、１９Ｖ、２４Ｖの５種類の直流電圧の直流電源を直流動作機器２へ給電できる。
【００７３】
また、４本の各ソケットコンタクト１１を内方に臨ませる４個のプラグ挿入孔１４は、ソケットハウジング１５の接続面１５ａに沿った同一直線上に開口し、１番目と２番目のソケットコンタクト１１１、１１２が臨むプラグ挿入孔１４、１４間の直線に沿った間隔をＤ１０とし、２番目と３番目のソケットコンタクト１１２、１１３が臨むプラグ挿入孔１４、１４間の直線に沿った間隔を３Ｄ１０、３番目と４番目のソケットコンタクト１１３、１１４が臨むプラグ挿入孔１４、１４間の直線に沿った間隔を４Ｄ１０としている。
【００７４】
つまり、このソケット３０では、一対のｎ番目のソケットコンタクト１１ｎとｎ＋ｋ番目のソケットコンタクト１１ｎ＋ｋ間の直流電圧
【００７５】
【数１】
2019026238.tif 000006
【００７６】
と、その一対のソケットコンタクト１１ｎ、１１ｎ＋ｋが臨むプラグ挿入孔１４、１４間の間隔とは、一義的に定まる関係（プラグ挿入孔１４、１４間の間隔と、そのプラグ挿入孔１４、１４にそれぞれ臨む一対のソケットコンタクト１１ｎ、１１ｎ＋ｋ間の直流電圧が１対１の関係）にあるが、ソケット１０のように比例関係にはない。
【００７７】
本実施の形態に係る直流配電用接続装置６では、このように構成されたソケット３０に、２４Ｖの直流電圧で動作する直流動作機器２に接続された電源プラグ２７を接続するので、図７に示す様に、電源プラグ２６の高圧側プラグピン２２と低圧側プラグピン２１間の間隔を、その間に２４Ｖの直流電圧が印加される１番目と４番目のソケットコンタクト１１１、１１４が臨む一対のプラグ挿入孔１４、１４の間隔８Ｄ１０と同一の間隔とし、一対の高圧側プラグピン２２と低圧側プラグピン２１を、１番目と４番目のソケットコンタクト１１１、１１４が臨むプラグ挿入孔１４、１４のみに挿入可能として、２４Ｖの直流電圧の直流電源を直流動作機器２へ給電する。
【００７８】
また、電源プラグ２６の一対の高圧側プラグピン２２と低圧側プラグピン２１の間には、それぞれ対応する２番目と３番目のソケットコンタクト１１２、１１３に接触するように、ソケットコンタクト１１２、１１３が臨むプラグ挿入孔１４、１４の対応部位に第１ダミープラグピン２３１と第２ダミープラグピン２３２が突設されている。各ダミープラグピン２３１、２３２の基端は、同様に抵抗Ｒを介して高圧側プラグピン２２に接続し、また、基端側の外周は絶縁被覆７で覆われ、電源プラグ２６とソケット３０が完全に接続する図７に示す位置で、相手側のソケットコンタクト１１２、１１３と絶縁するようにしている。
【００７９】
しかしながら、本実施の形態に係るダミープラグピン２３のプラグハウジング２４から突出する突出長は、電源プラグ２０、２５に取り付けられるダミープラグピン２３と異なり全て同一であり、４本のプラグピン２１、２２、２３と対応するソケットコンタクト１１１〜１１４との接触タイミングは、ソケット３０に取り付けられるソケットコンタクト１１１〜１１４側の形状をそれぞれ異ならせて調整している。
【００８０】
すなわち、ソケットコンタクト１１１〜１１４がプラグ挿入孔１４内で相手側の４本のプラグピン２１、２２、２３にそれぞれ接触する接触位置を、ｎ番の順にプラグ挿入孔１４の内奥側の位置（図中左方の位置）とし、低圧側プラグピン２１、第１ダミープラグピン２３１、第２ダミープラグピン２３２、高圧側プラグピン２２の順に対応する相手側のｎ番の順のソケットコンタクト１１２〜１１４に接触するようにしている。
【００８１】
その結果、低圧側プラグピン２１が第１電源ソケットコンタクトである１番目のソケットコンタクト１１１に接触した後、第１ダミープラグピン２３１と第２ダミープラグピン２３２が対応する２番目と３番目のソケットコンタクト１１２、１１３に接触する毎に、高圧側プラグピン２２の電位は、０Ｖ、５Ｖ、１２Ｖと段階的に上昇し、第２電源ソケットコンタクトであるソケットコンタクト１１４に近接する際の電位差は１２Ｖまで低下するので、アーク放電が発生しない。
【００８２】
尚、このソケット３０に、５Ｖの直流電圧で動作する直流動作機器２に直流電源を給電する電源プラグ２７を接続させる場合には、図８に示す様に、プラグハウジング２５から突出させる低圧側プラグピン２１と高圧側プラグピン２２の間隔を、５Ｖの直流電圧が印加される１番目と２番目のソケットコンタクト１１１、１１２がそれぞれ臨むプラグ挿入孔１４、１４間の間隔Ｄ１０ど同一の間隔とし、一対の電源プラグピン２１、２２をそれぞれ１番目と２番目のソケットコンタクト１１１、１１２に接触させることにより、５Ｖの直流電圧の直流電源を直流動作機器２へ給電できる。
【００８３】
この電源プラグ２７の高圧側プラグピン２２と第２電源ソケットコンタクトであるソケットコンタクト１１２の電位差は、最大５Ｖであるので、ダミープラグピン２３は設ける必要がない。
【００８４】
上述の各実施の形態では、高圧側プラグピン２２を第２電源ソケットコンタクトに接触させる前に、ダミープラグピンを第２電源ソケットコンタクトの電位に近い電位のソケットコンタクトに接触させて、高圧側プラグピン２２と第２電源ソケットコンタクト間の電位差を１５Ｖ未満に低下させてアーク放電の発生を抑止しているが、ダミープラグピンの数は任意であり、必ずしも、高圧側プラグピン２２と第２電源ソケットコンタクト間の電位差を１５Ｖ未満まで低下させずに、アーク放電の発生頻度を減少させるだけでもよい。
【００８５】
また、上述の実施の形態では、直流電源回路５０を共通の直流電源５５と、ｎ番目とｎ＋１番目のソケットコンタクト１１ｎ、１１ｎ＋１間毎にそれぞれ直流電圧Ｖｎを印加するｍ−１種類のＤＣ／ＤＣコンバータ３とで構成しているが、複数の直流電源から、異なる一対のソケットコンタクト間にそれぞれ直流電圧を印加させる直流電源回路であってもよい。
【産業上の利用可能性】
【００８６】
高い直流電圧でソケットのソケットコンタクトと電源プラグのプラグピンが活線接続する直流配電用接続装置に適している。
【符号の説明】
【００８７】
１  直流配電用接続装置（第１実施の形態）
２  直流動作機器（直流負荷）
５  直流配電用接続装置（第２実施の形態）
６  直流配電用接続装置（第３実施の形態）
７  絶縁被覆
１０  ソケット（第１、第２実施の形態）
１１  ソケットコンタクト
１１ｎ  ｎ番目のソケットコンタクト
１４  プラグ挿入孔
２０  電源プラグ（４８Ｖ給電）（第１実施の形態）
２１  低圧側プラグピン（第１電源プラグピン）
２２  高圧側プラグピン（第２電源プラグピン）
２３  ダミープラグピン
２５  電源プラグ（９６Ｖ給電）（第２実施の形態）
２６  電源プラグ（２４Ｖ給電）（第３実施の形態）
３０  ソケット（第３実施の形態）
５０  直流電源回路
５５    直流電源
【図１】
2019026238.tif 000007
【図２】
2019026238.tif 000008
【図３】
2019026238.tif 000009
【図４】
2019026238.tif 000010
【図５】
2019026238.tif 000011
【図６】
2019026238.tif 000012
【図７】
2019026238.tif 000013
【図８】
2019026238.tif 000014
【図９】
2019026238.tif 000015
【図１０】
2019026238.tif 000016
【国際調査報告】
2019026238.tif 000017
2019026238.tif 000018